【手続補正書】
【提出日】平成29年9月20日(2017.9.20)
【手続補正１】
【補正対象書類名】特許請求の範囲
【補正対象項目名】全文
【補正方法】変更
【補正の内容】
【特許請求の範囲】
【請求項１】
方法であって、
１つまたは複数のコンピューティング・デバイスによって、モバイル・コンピューティング・デバイスのユーザのロケーションの複数の特定にアクセスすることであって、それぞれの特定されたロケーションが、該モバイル・コンピューティング・デバイスのユーザによって手動で入力された明示的なロケーション情報への参照なしに特定される、前記アクセスすること、
１つまたは複数のコンピューティング・デバイスによって、第１の特定されたロケーションを、少なくとも１つの第２の特定されたロケーションと比較することであって、第１の特定されたロケーションが、第１のロケーション特定入力に基づいて特定され、第２の特定されたロケーションのそれぞれが、第１のロケーション特定入力への参照なしに特定される、前記比較すること、
第１の特定されたロケーションが第２の特定されたロケーションのうちの１つまたは複数に対応するときに、１つまたは複数のコンピューティング・デバイスによって、該モバイル・コンピューティング・デバイスまたは該モバイル・コンピューティング・デバイスのユーザに関連付けられている機能を許可すること、を備える方法。
【請求項２】
第１の特定されたロケーション、および第２の特定されたロケーションのうちの少なくとも１つが、比較の所定の時間内に特定された、請求項１に記載の方法。
【請求項３】
第１のロケーション特定入力は、
前記モバイル・コンピューティング・デバイスと無線周波数識別システムとの通信、
前記モバイル・コンピューティング・デバイスと近距離無線通信システムとの通信、
前記モバイル・コンピューティング・デバイスとワイヤレス・ネットワーク・デバイスとの通信、
ＧＰＳ特定、または
ユーザに関連付けられている経済的トランザクションに関連付けられている情報
のうちの１つまたは複数を含む、請求項１に記載の方法。
【請求項４】
前記ユーザが、複数のノード、および該複数のノードをつなげるエッジからなるソーシャルグラフを含むソーシャル・ネットワークのユーザであり、
該ソーシャルグラフにおける少なくとも１つのノードが、前記ユーザに対応し、
第１の特定されたロケーションまたは第２の特定されたロケーションのうちの少なくとも１つが、ソーシャルネットワーキング・システムにおける該複数のノードまたはエッジのうちの少なくとも１つに関連付けられている情報に基づいて特定される、請求項１に記載の方法。
【請求項５】
対応が所定の精度内であるときに、第１の特定されたロケーションが、１つまたは複数の第２の特定されたロケーションのうちの１つに対応する、請求項１に記載の方法。
【請求項６】
前記精度が、前記第１の特定されたロケーションを特定するために使用された方法、および前記１つまたは複数の第２の特定されたロケーションのうちの１つを特定するために使用された方法のうちの１つまたは両方に基づく、請求項５に記載の方法。
【請求項７】
前記機能が、
モバイル・コンピューティング・デバイスに関連付けられている１つまたは複数の設定にアクセスすること、
前記ユーザに関連付けられている１つまたは複数のアカウントにアクセスすること、
制限された、またはセキュアなデータにアクセスすること、
制限された、またはセキュアなネットワークにアクセスすること、
前記モバイル・コンピューティング・デバイス上のアプリケーションにアクセスすること、
前記モバイル・コンピューティング・デバイスによって、別のコンピューティング・デバイスと通信すること、
前記ユーザに関連する情報をサードパーティに提供すること、
該サードパーティに関連した情報を前記ユーザに提供すること、または
経済的トランザクションに従事すること
のうちの１つまたは複数を含む、請求項１に記載の方法。
【請求項８】
前記機能を許可することは、
１つまたは複数のコンピューティング・デバイスによって、前記第１の特定されたロケーションに関連付けられている第１の信頼要因の値にアクセスすること、
前記第２の特定されたロケーションのそれぞれについて、
１つまたは複数のコンピューティング・デバイスによって、前記第２の特定されたロケーションに関連付けられている第２の信頼要因の値にアクセスすること、
該第１の信頼要因、該第２の信頼要因、および第１の信頼要因と第２の信頼要因との比較に基づいて、１つまたは複数のコンピューティング・デバイスによって、第３の信頼要因の値を特定すること、
該第３の信頼要因のうちの１つまたは複数の値が、前記機能に関連付けられている所定の信頼要因閾値を超えるときに、１つまたは複数のコンピューティング・デバイスによって、前記機能を許可すること、をさらに含む、請求項１に記載の方法。
【請求項９】
前記ユーザが、複数のノード、および該複数のノードをつなげるエッジからなるソーシャルグラフを含むソーシャル・ネットワークのユーザであり、
該ソーシャルグラフにおける少なくとも１つのノードが、前記ユーザに対応し、
前記第１の信頼要因、前記第２の信頼要因、または前記第３の信頼要因のうちの少なくとも１つが、ソーシャルネットワーキング・システムにおける該複数のノードまたはエッジのうちの少なくとも１つに関連付けられている情報に基づいて特定される、請求項８に記載の方法。
【請求項１０】
前記ユーザが、複数のノード、および該複数のノードをつなげるエッジからなるソーシャルグラフを含むソーシャル・ネットワークのユーザであり、
該ソーシャルグラフにおける少なくとも１つのノードが、前記ユーザに対応し、
前記所定の信頼要因閾値が、ソーシャルネットワーキング・システムにおける該複数のノードまたはエッジのうちの少なくとも１つに関連付けられている情報に基づいて特定される、請求項８に記載の方法。
【請求項１１】
方法であって、
１つまたは複数のコンピューティング・デバイスによって、モバイル・コンピューティング・デバイスのユーザのロケーションの複数の特定にアクセスすることであって、それぞれの特定されたロケーションが、該モバイル・コンピューティング・デバイスのユーザによって手動で入力された明示的なロケーション情報への参照なしに特定される、前記アクセスすること、
１つまたは複数のコンピューティング・デバイスによって、第１の特定されたロケーションを、少なくとも１つの第２の特定されたロケーションと比較することであって、該第１の特定されたロケーションが、第１のロケーション特定入力に基づいて特定され、該第２の特定されたロケーションのそれぞれが、該第１のロケーション特定入力への参照なしに特定される、前記比較すること、
該第１の特定されたロケーションが第２の特定されたロケーションのうちの１つまたは複数に対応しないときに、１つまたは複数のコンピューティング・デバイスによって、該モバイル・コンピューティング・デバイスまたは該モバイル・コンピューティング・デバイスのユーザに関連付けられている機能を妨げること、を備え、
前記第１の特定されたロケーション、および前記第２の特定されたロケーションのうちの少なくとも１つが、比較の所定の時間内に特定された、方法。
【請求項１２】
前記第１のロケーション特定入力が、
前記モバイル・コンピューティング・デバイスと無線周波数識別システムとの通信、
前記モバイル・コンピューティング・デバイスと近距離無線通信システムとの通信、
前記モバイル・コンピューティング・デバイスとワイヤレス・ネットワーク・デバイスとの通信、
ＧＰＳ特定、または
前記ユーザに関連付けられている経済的トランザクションに関連付けられている情報
のうちの１つまたは複数を含む、請求項１１に記載の方法。
【請求項１３】
前記ユーザが、複数のノード、および該複数のノードをつなげるエッジからなるソーシャルグラフを含むソーシャル・ネットワークのユーザであり、
該ソーシャルグラフにおける少なくとも１つのノードが、前記ユーザに対応し、
前記第１の特定されたロケーションまたは前記第２の特定されたロケーションのうちの少なくとも１つが、ソーシャルネットワーキング・システムにおける該複数のノードまたはエッジのうちの少なくとも１つに関連付けられている情報に基づいて特定される、請求項１１に記載の方法。
【請求項１４】
対応が所定の精度内であるときに、前記第１の特定されたロケーションが、１つまたは複数の第２の特定されたロケーションのうちの１つに対応する、請求項１１に記載の方法。
【請求項１５】
前記精度が、前記第１の特定されたロケーションを特定するために使用された方法、および前記１つまたは複数の第２の特定されたロケーションのうちの１つを特定するために使用された方法のうちの、１つまたは両方に基づく、請求項１４に記載の方法。
【請求項１６】
前記機能は、
モバイル・コンピューティング・デバイスに関連付けられている１つまたは複数の設定にアクセスすること、
前記ユーザに関連付けられている１つまたは複数のアカウントにアクセスすること、
制限された、またはセキュアなデータにアクセスすること、
制限された、またはセキュアなネットワークにアクセスすること、
前記モバイル・コンピューティング・デバイス上のアプリケーションにアクセスすること、
前記モバイル・コンピューティング・デバイスを使用して別のコンピューティング・デバイスと通信すること、
前記ユーザに関連する情報をサードパーティに提供すること、
該サードパーティに関連した情報を前記ユーザに提供すること、または
経済的トランザクションに従事すること
のうちの１つまたは複数を含む、請求項１１に記載の方法。
【請求項１７】
前記機能を禁止すること、
１つまたは複数のコンピューティング・デバイスによって、前記第１の特定されたロケーションに関連付けられている第１の信頼要因の値にアクセスすること、
前記第２の特定されたロケーションのそれぞれについて、
１つまたは複数のコンピューティング・デバイスによって、前記第２の特定されたロケーションに関連付けられている第２の信頼要因の値にアクセスすること、
該第１の信頼要因、該第２の信頼要因、および第１の信頼要因と、第２の信頼要因との比較に基づいて、１つまたは複数のコンピューティング・デバイスによって、第３の信頼要因の値を特定すること、
該第３の信頼要因のうちの１つまたは複数の値が、前記機能に関連付けられている所定の信頼要因閾値を下回るときに、１つまたは複数のコンピューティング・デバイスによって、前記機能を禁止すること、をさらに含む、請求項１１に記載の方法。
【請求項１８】
前記ユーザが、複数のノード、および該複数のノードをつなげるエッジからなるソーシャルグラフを含むソーシャル・ネットワークのユーザであり、
該ソーシャルグラフにおける少なくとも１つのノードが、前記ユーザに対応し、
前記第１の信頼要因、前記第２の信頼要因、または前記第３の信頼要因のうちの少なくとも１つが、ソーシャルネットワーキング・システムにおける該複数のノードまたはエッジのうちの少なくとも１つに関連付けられている情報に基づいて特定される、請求項１７に記載の方法。
【請求項１９】
前記ユーザが、複数のノード、および該複数のノードをつなげるエッジからなるソーシャルグラフを含むソーシャル・ネットワークのユーザであり、
該ソーシャルグラフにおける少なくとも１つのノードが、前記ユーザに対応し、
前記所定の信頼要因閾値が、ソーシャルネットワーキング・システムにおける該複数のノードまたはエッジのうちの少なくとも１つに関連付けられている情報に基づいて特定される、請求項１７に記載の方法。